(57)【特許請求の範囲】
【請求項１】
原稿面上の画像を読み取る画像読取装置であって、
高分子分散型液晶を使用して構成されている液晶フィルムを有し、前記原稿を支持して光を透過させる原稿支持部と、
前記原稿面に垂直な方向に対して傾斜した方向から前記原稿支持部を透過して照射光を照射する光源と、
非光沢原稿モードと、光沢原稿モードとを含む複数の作動モードを有し、前記原稿面からの反射光に応じて前記画像を読み取って画像データを生成する画像読取部と、
前記非光沢原稿モードと前記光沢原稿モードのいずれかの設定のためのユーザーの操作入力を受け付ける操作表示部と、
前記非光沢原稿モードに設定された場合には、前記液晶フィルムの透過状態を非散乱状態に制御し、前記光沢原稿モードに設定された場合には、前記液晶フィルムの透過状態を散乱状態に制御する透過状態制御部と、
を備え、
前記画像読取部は、前記非光沢原稿モードに設定されている場合には、前記液晶フィルムが前記非散乱状態に制御された状態で前記画像を読み取って前記非光沢原稿モード用に設定された色変換テーブルを使用して画像データを生成し、前記光沢原稿モードに設定されている場合には、前記液晶フィルムの透過状態が散乱状態に制御された状態で前記画像を読み取って前記光沢原稿モード用に設定された色変換テーブルを使用して画像データを生成する画像読取装置。
【請求項２】
請求項１記載の画像読取装置であって、
前記画像読取部は、前記非光沢原稿モードでは前記非光沢原稿モード用に設定されたシェーディング補正テーブルを使用して前記画像データを生成し、前記光沢原稿モードでは前記光沢原稿モード用に設定されたシェーディング補正テーブルを使用して前記画像データを生成する画像読取装置。
【請求項３】
請求項１又は２に記載の画像読取装置であって、
前記画像読取部は、前記光沢原稿モードでは前記非光沢原稿モードよりも輪郭を強調する画像処理を行って前記画像データを生成する画像読取装置。
【請求項４】
画像形成装置であって、
請求項１乃至３のいずれか１項に記載の画像読取装置と、
前記画像データに基づいて画像を形成する画像形成部と、
を備える画像形成装置。
【請求項５】
原稿面上の画像を読み取る画像読取方法であって、
高分子分散型液晶を使用して構成されている液晶フィルムを有し、前記原稿を支持して光を透過させる原稿支持部を準備する工程と、
前記原稿面に垂直な方向に対して傾斜した方向から前記原稿支持部を透過して照射光を照射する工程と、
非光沢原稿モードと、光沢原稿モードとを含む複数の作動モードを有し、前記原稿面からの反射光に応じて前記画像を読み取って画像データを生成する画像読取工程と、
前記非光沢原稿モードと前記光沢原稿モードのいずれかの設定のためのユーザーの操作入力を受け付ける操作表示工程と、
前記非光沢原稿モードに設定された場合には、前記液晶フィルムの透過状態を非散乱状態に制御し、前記光沢原稿モードに設定された場合には、前記液晶フィルムの透過状態を散乱状態に制御する透過状態制御工程と、
を備え、
前記画像読取工程は、前記非光沢原稿モードに設定されている場合には、前記液晶フィルムが前記非散乱状態に制御された状態で前記画像を読み取って前記非光沢原稿モード用に設定された色変換テーブルを使用して画像データを生成し、前記光沢原稿モードに設定されている場合には、前記液晶フィルムの透過状態が散乱状態に制御された状態で前記画像を読み取って前記光沢原稿モード用に設定された色変換テーブルを使用して画像データを生成する工程を含む画像読取方法。
【発明の詳細な説明】
【技術分野】
【０００１】
本発明は、画像読取装置、画像読取方法及び画像形成装置に関し、詳しくは、光沢を有する原稿からの画像読み取りを実現する技術に関する。
【背景技術】
【０００２】
画像読取装置においては、一般的に、光源は、原稿面に垂直な方向に対して約４５度の角度で光を照射する。これにより、受光部は、原稿からの正反射(鏡面反射)光を抑制して、原稿からの拡散光を受光することができる。反射光の配光分布、すなわち、原稿からの反射光に正反射光が含まれる割合は、原稿の光沢度に依存する。したがって、原稿がたとえば金属光沢を有している場合には、反射光の配光分布の殆ど全てが正反射となって、受光部が原稿からの反射光を受光することができない状態（いわゆる黒飛びの状態）となる。このような問題に対して、特許文献１は、原稿に対して傾斜した方向で走査する状態とし、原稿に対する照射角を変更して光を照射する構成を開示している。
【先行技術文献】
【特許文献】
【０００３】
【特許文献１】特開２００８−２５８９２２号公報
【特許文献２】特開２００４−１９１４４７号公報
【発明の概要】
【発明が解決しようとする課題】
【０００４】
しかしながら、特許文献１は、構造的に大かがりとなる上、受光部と原稿の間の距離が変動し、さらに原稿と受光素子との間の光路において外部から迷光が発生するという問題がある。
【０００５】
本発明は、このような状況に鑑みてなされたものであり、光沢度が高い原稿の反射光を受光部に導く技術を提供することを目的とする。
【課題を解決するための手段】
【０００６】
本発明は、原稿面上の画像を読み取る画像読取装置を提供する。前記画像読取装置は、前記原稿を支持して光を透過させる原稿支持部と、前記原稿面に垂直な方向に対して傾斜した方向から前記原稿支持部を透過して照射光を照射する光源と、前記原稿面からの反射光に応じて前記画像を読み取って画像データを生成する画像読取部と、を備え、前記原稿支持部は、前記照射光が透過する際の散乱の程度を変更することができるように構成されている。
【０００７】
本発明は、原稿面上の画像を読み取る画像読取方法を提供する。前記画像読取方法は、前記原稿を支持して光を透過させる原稿支持部を準備する工程と、前記原稿面に垂直な方向に対して傾斜した方向から前記原稿支持部を透過して照射光を照射する工程と、前記原稿面からの反射光に応じて前記画像を読み取って画像データを生成する工程と、前記照射光が透過する際の前記原稿支持部の散乱の程度を変更する工程とを備える。
【発明の効果】
【０００８】
本発明によれば、光沢度が高い原稿の反射光を受光部に導く技術を提供することができる。
【図面の簡単な説明】
【０００９】
【図１】本発明の一実施形態に係る画像形成装置１の全体構成を示す概略構成図である。
【図２】一実施形態に係る画像形成装置１の電気的構成を示すブロックダイアグラムである。
【図３】一実施形態に係る画像形成装置１の全体構成を示す断面図である。
【図４】一実施形態に係る画像形成装置１の校正処理手順の内容を示すフローチャートである。
【図５】一実施形態に係るコンタクトガラス１５０の各透過状態における原稿の反射状態を示す説明図である。
【図６】一実施形態に係る画像形成装置１における第１の校正処理の内容を示すフローチャートである。
【発明を実施するための形態】
【００１０】
以下、本発明を実施するための形態（以下、「実施形態」という）を、図面を参照して説明する。
【００１１】
図１は、本発明の一実施形態に係る画像形成装置１の全体構成を示す概略構成図である。図２は、一実施形態に係る画像形成装置１の電気的構成を示すブロックダイアグラムである。画像形成装置１は、制御部１０と、画像形成部２０と、操作表示部３０と、記憶部４０と、画像読取部１００とを備えている。画像読取部１００は、自動原稿送り装置（ＡＤＦ）１６０と原稿台（コンタクトガラス）１５０とを有し、原稿から画像を読み取ってデジタルデータである画像データＩＤを生成する。
【００１２】
画像形成部２０は、画像データＩＤに基づいて印刷媒体（図示せず）に画像を形成して排出する。操作表示部３０は、タッチパネルとして機能するディスプレイ（図示せず）や各種ボタンやスイッチ（図示せず）からユーザーの操作入力を受け付ける。
【００１３】
制御部１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１０は、各種Ｉ／Ｏ、ＵＳＢ（ユニバーサル・シリアル・バス）、バス、その他ハードウェア等のインターフェイスに関連するコントローラ機能を備え、画像形成装置１全体を制御する。
【００１４】
記憶部４０は、非一時的な記録媒体であるハードディスクドライブやフラッシュメモリー等からなる記憶装置で、制御部１０が実行する処理の制御プログラムやデータを記憶する。
【００１５】
画像読取部１００は、図２に示されるように、光源ドライバ１１１と、光源１１２とを備えている。光源１１２は、原稿Ｄに光を照射する複数のＬＥＤ（図示せず）を有する。光源ドライバ１１１は、主走査方向に配列されている複数のＬＥＤを駆動するＬＥＤドライバであり、光源１１２のオンオフ駆動制御を行う。これにより、光源１１２は、可変の駆動デューティのパルス幅変調（ＰＷＭ）で原稿Ｄを照射光Ｌ１で照射することができる。
【００１６】
照射光Ｌ１は、原稿Ｄの面に垂直な方向に対して４５度（傾斜した方向）の角度で照射される。原稿Ｄは、拡散反射光Ｌ２と、正反射光Ｌ３（鏡面反射光とも呼ばれる。）とを含む反射光を反射する。受光素子１２２は、以下に説明する光路を介して拡散反射光Ｌ２を受光する。
【００１７】
画像読取部１００は、さらに、図１に示されるように、原稿Ｄとイメージセンサ１２１との間に、第１反射鏡１１３と、第１キャリッジ１１４と、第２反射鏡１１５と、第３反射鏡１１６と、第２キャリッジ１１７と、集光レンズ１１８とを備えている。第１反射鏡１１３は、原稿Ｄからの拡散反射光Ｌ２を第２反射鏡１１５の方向に反射する。第２反射鏡１１５は、拡散反射光Ｌ２を第３反射鏡１１６の方向に反射する。第３反射鏡１１６は、拡散反射光Ｌ２を集光レンズ１１８の方向に反射する。集光レンズ１１８は、拡散反射光Ｌ２をイメージセンサ１２１が有する複数の受光素子１２２の各受光面（図示せず）に結像する。
【００１８】
イメージセンサ１２１は、主走査方向に配列されている複数の受光素子１２２を有するラインセンサである。複数の受光素子１２２は、それぞれの入射光の強弱に応じて光電変換された電荷を発生させ、その電荷を各画素に対応するＣＣＤ素子が形成する各ポテンシャルウェル（電荷の井戸）に蓄積する。各ポテンシャルウェルに蓄積された電荷は、図示しないシフトレジスタに一斉に転送される。シフトレジスタに転送された各電荷は、電荷−電圧変換増幅器により電圧信号であるアナログ電気信号に変換される。これにより、イメージセンサ１２１は、主走査方向の画素毎のアナログ電気信号を出力することができる。
【００１９】
第１キャリッジ１１４は、光源１１２と第１反射鏡１１３とを搭載し、副走査方向に往復動する。第２キャリッジ１１７は、第２反射鏡１１５と第３反射鏡１１６とを搭載し、副走査方向に往復動する。第１キャリッジ１１４及び第２キャリッジ１１７は、走査制御部として機能する制御部１０によって制御される。これにより、光源１１２は原稿を副走査方向に走査することができるので、イメージセンサ１２１は、原稿上の２次元画像に応じてアナログ電気信号を出力することができる。
【００２０】
なお、自動原稿送り装置（ＡＤＦ）１６０が使用される場合には、第１キャリッジ１１４及び第２キャリッジ１１７は、予め設定されている副走査位置に固定され、原稿Ｄの自動送りによって副走査方向の走査が行われる。なお、ＡＤＦ１６０には、片面だけでなく両面を同時にあるいは逐次に読み取るものもある。
【００２１】
ＡＤＦ１６０は、紙送りローラー１６１と、原稿読取スリット１６２とを備えている。紙送りローラー１６１は、原稿の自動送りを行い、原稿の読み取りが原稿読取スリット１６２を介して行われる。この場合には、第１キャリッジ１１４が予め設定されている副走査位置に固定されるので、第１キャリッジ１１４に搭載されている光源１１２も所定位置に固定されることになる。
【００２２】
画像読取部１００は、図２に示されるように、さらに、信号処理部１２３と、シェーディング補正部１２４と、ＡＧＣ処理部１３０と、白基準板１３２（図１参照）と、透過状態制御部１５５とを備えている。信号処理部１２３は、Ａ／Ｄ変換機能を有する可変利得増幅器である。信号処理部１２３は、ＡＧＣ処理部１３０で設定され、記憶部４０に格納されている利得でアナログ電気信号を増幅し、増幅されたアナログ電気信号をＡ／Ｄ変換してデジタルデータとする。
【００２３】
透過状態制御部１５５は、コンタクトガラス１５０の透過状態を制御する。透過状態には、非散乱状態と散乱状態が含まれる。透過状態制御部１５５は、非散乱状態と散乱状態との間で連続的に散乱の程度を調整可能（変更可能）である。非散乱状態では、非光沢原稿の拡散反射によって読み取りが行われる。散乱状態では、光沢原稿の正反射と拡散反射とによって読み取りが行われる。なお、詳細については後述する。
【００２４】
ＡＧＣ処理部１３０は、本実施形態では、黒基準信号と白基準信号とを使用して複数の受光素子１２２のそれぞれに対して最適な利得とオフセット値とを設定する利得調整部である。黒基準信号は、光源１１２がオフの状態における受光素子１２２のアナログ電気信号である。白基準信号は、原稿Ｄの代わりに白基準板１３２を照射したときの受光素子１２２のアナログ電気信号である。ＡＧＣ処理部１３０は、黒基準信号が信号処理部１２３によってＡ／Ｄ変換されたときの画像データＩＤの値が最小値「０」となるようにオフセット値を設定する。ＡＧＣ処理部１３０は、このオフセット値を使用して白基準信号が信号処理部１２３によってＡ／Ｄ変換されたときの画像データＩＤの値が最大値「２５５」となるように利得を設定する。
【００２５】
シェーディング補正部１２４は、デジタルデータに対してシェーディング補正を実行して画像データＩＤを生成する。シェーディング補正は、光源１１２の長さ方向の光量不均一性やレンズのコサイン４乗則による周辺減光、主走査方向に配列されている複数の受光素子１２２の感度ムラに起因して発生するシェーディングを抑制するための補正である。
【００２６】
本願発明者の解析によれば、液晶フィルム１５２での照射光Ｌ１の散乱によって、原稿Ｄに対する光の照射状態（たとえば液晶フィルム１５２による拡散に起因するムラの発生）が変化するので、本実施形態では、光沢原稿モード用のシェーディング補正テーブル１２４ｂが非光沢原稿モード用のシェーディング補正テーブル１２４ａとは別に用意されている（図２参照）。
【００２７】
シェーディング補正には、シェーディング補正値が使用される。シェーディング補正値は、白基準板１３２を使用して生成され、非光沢原稿モード用のシェーディング補正テーブル１２４ａと光沢原稿モード用のシェーディング補正テーブル１２４ｂとに格納される。非光沢原稿モード用のシェーディング補正テーブル１２４ａは、コンタクトガラス１５０の透過状態を非散乱状態として白基準板１３２を使用し、主走査方向のデータのムラが抑制されるように調整される。光沢原稿モード用のシェーディング補正テーブル１２４ｂは、コンタクトガラス１５０の透過状態を散乱状態として白基準板１３２を使用し、主走査方向のデータのムラが抑制されるように調整される。
【００２８】
画像形成部２０は、前述のように画像データＩＤに基づいて印刷媒体Ｐに画像を形成して排出する。
【００２９】
画像形成部２０は、色変換処理部２１と、校正用濃度センサ２２と、露光部２３と、現像部２４ｃ〜２４ｋと、帯電部２５ｃ〜２５ｋとを有している。色変換処理部２１は、ＲＧＢデータである画像データＩＤをＣＭＹＫに色変換し、ハーフトーン処理を実行してＣＭＹＫのハーフトーンデータを生成する。色変換処理部２１は、光沢原稿モード用のカラーテーブル２１ａと非光沢原稿モード用のカラーテーブル２１ｂのいずれかを使用して色変換を実行することができる。カラーテーブルは、色変換テーブルとも呼ばれる。
【００３０】
図３は、本発明の一実施形態に係る画像形成装置１の全体構成を示す断面図である。本実施形態の画像形成装置１は、タンデム型のカラープリンターである。画像形成装置１は、その筐体７０内に、マゼンタ、シアン、イエロー、及びブラックの各色に対応させて感光体ドラム（像担持体）２６ｍ、２６ｃ、２６ｙ及び２６ｋが一列に配置されている。感光体ドラム２６ｍ、２６ｃ、２６ｙ及び２６ｋのそれぞれに隣接して、現像部２４ｍ、２４ｃ、２４ｙ及び２４ｋが配置されている。
【００３１】
感光体ドラム２６ｍ、２６ｃ、２６ｙ及び２６ｋには、露光部２３から各色用のレーザー光Ｌｍ、Ｌｃ、Ｌｙ及びＬｋが照射される。この照射によって、感光体ドラム２６ｍ、２６ｃ、２６ｙ及び２６ｋに静電潜像が形成される。現像部２４ｍ、２４ｃ、２４ｙ及び２４ｋは、トナーを攪拌しながら、感光体ドラム２６ｍ、２６ｃ、２６ｙ及び２６ｋの表面に形成された静電潜像にトナーを付着させる。これにより、現像工程が完了し、感光体ドラム２６ｍ、２６ｃ、２６ｙ及び２６ｋの表面に各色のトナー像が形成される。
【００３２】
画像形成装置１は、無端状の中間転写ベルト２７ａを有している。中間転写ベルト２７ａは、テンションローラー２７ｃ、駆動ローラー２７ｂ及び従動ローラー２７ｄに張架されている。中間転写ベルト２７ａは、駆動ローラー２７ｂの回転によって循環駆動させられる。
【００３３】
たとえば感光体ドラム２６ｋ上のブラックのトナー像は、感光体ドラム２６ｋと一次転写ローラー２９ｋとで中間転写ベルト２７ａを挟み、中間転写ベルト２７ａが循環駆動させられることによって中間転写ベルト２７ａに一次転写される。この点は、シアン、イエロー、ブラックの３色についても同様である。中間転写ベルト２７ａの表面には、所定のタイミングで相互に重ね合わせられるように一次転写が行われることによってフルカラートナー像が形成される。フルカラートナー像は、その後、給紙カセット６０から供給された印刷媒体Ｐに二次転写され、周知の定着工程で印刷媒体Ｐに定着される。
【００３４】
図４は、一実施形態に係る画像形成装置１の校正処理手順の内容を示すフローチャートである。図５は、一実施形態に係るコンタクトガラス１５０の各透過状態における原稿の反射状態を示す説明図である。ステップＳ１０では、ユーザーは、画像形成装置１の読み取りモードを非光沢原稿モードに設定する。非光沢原稿モードの設定は、ユーザーによって操作表示部３０を介して行われる。画像形成装置１は、非光沢原稿モードと光沢原稿モードとを含む複数の作動モードを有している。
【００３５】
ステップＳ２０では、制御部１０は、非光沢原稿モードへの設定に応じて透過状態制御部１５５を使用してコンタクトガラス１５０の透過状態を非散乱状態に制御する。透過状態には、非散乱状態と散乱状態が含まれる。散乱状態は、透過状態制御部１５５によって非散乱状態と散乱状態との間で連続的に調整可能である。
【００３６】
コンタクトガラス１５０は、ベースガラス１５１と、液晶フィルム１５２と、表面ガラス１５３とを有している。ベースガラス１５１は、コンタクトガラス１５０の土台となるガラスであり、十分な強度を有している。表面ガラス１５３は、原稿Ｄに直接触れるガラスであり、十分な硬度と強度とを有している。
【００３７】
非光沢原稿モードでは、照射光Ｌ１は、散乱することなくコンタクトガラス１５０を透過することができ（非散乱状態）、原稿Ｄの面に垂直な方向に対して４５度の角度において照射光Ｌ１で照射される。原稿Ｄの面は、照射光Ｌ１を乱反射して拡散反射光Ｓを生成し、拡散反射光Ｓのうちの一部が拡散反射光Ｌ２として複数の受光素子１２２の方向に放射されることになる。
【００３８】
液晶フィルム１５２は、たとえば高分子分散型液晶（Ｐｏｌｙｍｅｒ  Ｄｉｓｐｅｒｓｅｄ  Ｌｉｑｕｉｄ  Ｃｒｙｓｔａｌ）を使用して構成することができる。高分子分散型液晶は、液晶を高分子中に分散させた薄膜(液晶層)を利用した方式の液晶である。高分子分散型液晶は、水中に浮く油の粒子のように、液晶の微小粒子を高分子中に分散させることで、液晶を薄膜内で支持(固定)することなく存在させている。液晶フィルム１５２は、電場がかけられていない状態では、分散した液晶の配向ベクトルが異なった方向を向き、界面で光が散乱することで不透明な白色状態を作り出している。液晶フィルム１５２は、透過状態制御部１５５によって電場が印加されると、液晶が配向し、高分子と液晶の屈折率がほぼ等しくなって透明状態（非散乱状態とも呼ばれる。）になる。高分子分散型液晶は、偏光板や配向板を必要としないので、光量の吸収を大幅に減少させるとともに、より少ない電力で駆動することができる。
【００３９】
なお、ＡＤＦ１６０の原稿読取スリット１６２に散乱状態するための液晶フィルムを装備するようにしてもよい。コンタクトガラス１５０や原稿読取スリット１６２は、原稿Ｄの面を光学系の所定の位置に支持する役割を果たし、原稿支持部とも呼ばれる。
【００４０】
ステップＳ３０では、ユーザーは、画像読取部１００を使用し、予め準備されている校正用の非光沢原稿をスキャンする。非光沢原稿は、光沢度が十分に低く、反射光の多くが拡散反射光となる原稿である。校正用の非光沢原稿は、ＣＭＹＫ校正用調整原稿であり、Ｃ校正用のＲの各階調を表す複数のパッチと、Ｍ校正用のＧの各階調を表す複数のパッチと、Ｙ校正用のＢの各階調を表す複数のパッチと、Ｋ校正用のＲＧＢ（グレー）の各階調を表す複数のパッチとを１枚の原稿に含んでいる。
【００４１】
ステップＳ４０では、制御部１０は、第１の校正処理を実行する。第１の校正処理は、非光沢原稿の読み取りに使用される非光沢原稿モード用のカラーテーブル２１ａを校正する処理である。
【００４２】
図６は、一実施形態に係る画像形成装置１における第１の校正処理の内容を示すフローチャートである。ステップＳ４１では、画像読取部１００は、校正用の非光沢原稿のスキャンデータに基づいて画像データＩＤを生成する。ステップＳ４２では、画像形成部２０は、画像データＩＤに基づいて中間転写ベルト２７ａに校正用のパッチを形成する。校正用のパッチは、校正用の非光沢原稿をスキャンして生成された画像データＩＤに基づいて画像形成部２０によって形成されたパッチである。
【００４３】
ステップＳ４３では、制御部１０は、校正用濃度センサ２２を使用してＲＧＢの反射光量であるＲＧＢ反射光量を計測し、ＲＧＢ反射光量データを生成する。ＲＧＢ反射光量は、校正用印刷画像データＲＧＢの階調値に対応する。具体的には、ＲＧＢ反射光量は、既知のシアン調整用の各階調のパッチにおける赤色光の吸光量（Ｒの階調値に対応）、既知のマゼンタ調整用の各階調のパッチにおける緑色光の吸光量（Ｇの階調値に対応）、既知のイエロー調整用の各階調のパッチにおける青色光の吸光量（Ｂの階調値に対応）、および既知のグレー調整用の各階調のパッチにおけるＲＧＢの吸光量（ＲＧＢの階調値）に対応する。
【００４４】
ステップＳ４４では、制御部１０は、カラーテーブル校正処理を実行する。カラーテーブル校正処理では、制御部１０は、非光沢原稿モード用のカラーテーブル２１ａを校正する。カラーテーブル２１ａは、赤色光、緑色光及び青色光の各吸光量が予め設定されている吸光量に近づくように調整される。予め設定されている吸光量は、予め準備されている校正用の非光沢原稿に対して既知の値として準備されている。
【００４５】
このように、画像形成装置１は、非光沢原稿モード用のカラーテーブル２１ａを校正することができる。
【００４６】
ステップＳ５０では、ユーザーは、画像形成装置１の読み取りモードを光沢原稿モードに設定する。光沢原稿モードの設定は、ユーザーによって操作表示部３０を介して行われる。
【００４７】
ステップＳ６０では、制御部１０は、光沢原稿モードへの設定に応じて透過状態制御部１５５を使用してコンタクトガラス１５０の透過状態を散乱状態（白色状態）にする。光沢原稿モードでは、照射光Ｌ１は、ベースガラス１５１を透過し、液晶フィルム１５２で散乱されて散乱光を生成する。散乱光は、表面ガラス１５３を透過し、原稿に対して様々な方向で照射される。原稿Ｄは、様々な方向に照射された散乱光を正反射及び拡散反射して拡散反射光Ｓａを生成し、拡散反射光Ｓａが液晶フィルム１５２にリア投影される。複数の受光素子１２２の方向には、リア投影された拡散反射光Ｓａのうちの一部が拡散反射光Ｌ２ａとして放射されることになる。
【００４８】
このように、光沢原稿モードでは、液晶フィルム１５２で照射光が散乱されて散乱光が生成され、原稿Ｄの面で正反射及び拡散反射された散乱光をリア投影することによって複数の受光素子１２２によって検知可能な状態としている。これにより、光沢度の高い原稿Ｄによる正反射光を含む反射光を複数の受光素子１２２で検知可能としている。
【００４９】
ステップＳ７０では、ユーザーは、画像読取部１００を使用して予め準備されている校正用の光沢原稿をスキャンする。光沢原稿は、光沢度が十分に高く、反射光の多くが正反射光となる原稿である。校正用の光沢原稿は、光沢度を除いて校正用の非光沢原稿と同一である。複数の受光素子１２２は、正反射光と拡散反射光の双方を含む反射光を受光することができるので、光沢度の高い原稿Ｄについて光沢度の変動の影響を殆ど受けずに画像の読み取りを実現することができる。
【００５０】
ステップＳ８０では、制御部１０は、第２の校正処理を実行する。第２の校正処理は、第１の校正処理と同様に、光沢原稿モード用のカラーテーブル２１ｂを校正する処理である。
【００５１】
カラーテーブル２１ｂは、第１の校正処理と同様に、赤色光、緑色光及び青色光の各吸光量が予め設定されている吸光量に近づくように校正される。予め設定されている吸光量は、予め準備されている校正用の光沢原稿に対して既知の値（上述の非光沢原稿モード用の値と同一の値）として準備されている。
【００５２】
制御部１０は、たとえば彩度を成分として含むＨＳＶ色空間やＨＬＳ色空間において彩度を調整することによって、校正済みの光沢原稿モード用のカラーテーブル２１ｂを非光沢原稿モード用のカラーテーブル２１ａに基づいて簡易に生成することもできる。本願発明者の解析と実験によれば、光沢原稿のスキャンデータは、非光沢原稿のスキャンデータに対して彩度が顕著に低下するからである。
【００５３】
彩度が顕著に低下する理由は、複数の受光素子１２２は、液晶フィルム１５２にリア投影された拡散反射光Ｓａのうちの一部としての拡散反射光Ｌ２ａだけでなく、液晶フィルム１５２にフロント投影された照射光Ｌ１の拡散反射光の一部も受光するからである。本願発明者の実験では、液晶フィルム１５２の代わりにトレーシングペーパーが使用され、彩度の低下（くすみ発生）に起因してコントラストが低下することが確認された。
【００５４】
このように、本実施形態に係る画像形成装置１は、光沢度が高い原稿の正反射光をイメージセンサ１２１に導くことができるので、光沢度が高い原稿のスキャンを実現することができる。この原理は、原稿近傍での照射光の散乱と原稿からの反射光のリア投影の組み合わせで実現されている。この光学的に複雑な組み合わせは、コンタクトガラス１５０や原稿読取スリット１６２に液晶フィルム１５２を装備するという簡易な構成で実現可能である。
【００５５】
本発明は、上記実施形態だけでなく、以下のような変形例でも実施することができる。
【００５６】
変形例１：上記実施形態は、カラーテーブルを調整することによって色変換処理の内容を校正しているが、たとえば露光エネルギーや帯電バイアス、現像バイアス、ドットの面積率を調整して校正してもよい。
【００５７】
変形例２：上記実施形態では、ＣＣＤ方式の画像読取部が採用されているが、ＣＣＤ方式に限られずＣＩＳ方式といった他の方式を採用してもよい。
【００５８】
変形例３：上記実施形態において、輪郭を強調する画像処理を行うようにしてもよい。本願発明者の解析と実験によれば、光沢原稿のスキャンデータは、非光沢原稿のスキャンデータに対して輪郭がぼけ気味となることが見いだされたからである。輪郭がぼけ気味となるのは、拡散反射光Ｓａが液晶フィルム１５２にリア投影される際の光が様々な方向に放射されるからである。
【００５９】
輪郭のぼけは、拡散反射光Ｓａが液晶フィルム１５２にリア投影される際にぼけるので、表面ガラス１５３の厚さＴ２（図５（ｂ）参照）を小さくすることによって小さくすることができる。したがって、表面ガラス１５３の厚さＴ２を小さくすること、特にコンタクトガラス１５０の厚さＴ１の半分以下とすることが好ましい。
【００６０】
変形例４：上記実施形態では、液晶フィルムの散乱状態の調整は行われていないが、調整可能として画像読取装置の個体差等を吸収するようにしてもよい。調整方法は、たとえば彩度やコントラストが大きくなる方向に散乱状態を変化させて調整してもよい。
【００６１】
変形例５：上記実施形態は、画像形成装置に本発明が適用されているが、専用スキャナーその他の画像読取装置にも本発明は適用可能である。
【符号の説明】
【００６２】
１  画像形成装置
１０  制御部
２０  画像形成部
２１  色変換処理部
２２  校正用濃度センサ
２３  露光部
４０  記憶部
６０  給紙カセット
７０  筐体
１００  画像読取部
１１１  光源ドライバ
１１２  光源
１２１  イメージセンサ
１２２  受光素子
１２３  信号処理部
１２４  シェーディング補正部
１３０  ＡＧＣ処理部
１５０  コンタクトガラス
１６０  自動原稿送り装置
１６２  原稿読取スリット
【図１】
0006551792.tif 000002
【図２】
0006551792.tif 000003
【図３】
0006551792.tif 000004
【図４】
0006551792.tif 000005
【図５】
0006551792.tif 000006
【図６】
0006551792.tif 000007